(57)【要約】【課題】  汎用伝送路を使用してセキュリティを確保し、航空機の安全な離着陸管理を確保することにある。【解決手段】  空港内に設置される多数の灯火設備機器５に対して、調光，点灯、消灯等の操作制御を行う灯火制御システムにおいて、環境条件の判断による調光制御入力や特定の灯火設備機器の指定による点灯，消灯入力に基づき、少なくとも１個の灯火設備機器への操作制御指示を生成し、予め定める暗号化キーを用いて暗号化して送信する少なくとも１台の灯火操作制御装置１と、この灯火操作制御装置に汎用伝送路３を介して接続され、暗号化された操作制御指示を受信し、予め定めた復号化キーを用いて、当該受信した暗号化された操作制御指示を復号化し、自身が管理する灯火設備機器５を操作制御する複数の設備制御装置２，…とを備えた灯火制御システムである。【選択図】図１
2008059850.tif 000002
【特許請求の範囲】
【請求項１】
空港内に設置される多数の灯火設備機器に対して、調光を含む点灯、消灯の操作制御を行う灯火制御システムにおいて、
環境条件の判断による調光制御入力や特定の灯火設備機器の指定による点灯，消灯入力に基づき、少なくとも１個の灯火設備機器への操作制御指示を生成するとともに、予め決められた暗号化キーを用いて、当該操作制御指示を暗号化して送信する少なくとも１台の灯火操作制御装置と、
この灯火操作制御装置に汎用伝送路を介して接続され、前記暗号化された操作制御指示を受信し、予め決められた復号化キーを用いて、当該受信した暗号化された操作制御指示を復号化し、自身が管理する少なくとも１個の灯火設備機器を操作制御する複数の設備制御装置とを備えたことを特徴とする灯火制御システム。
【請求項２】
空港内に設置される多数の灯火設備機器に対して、調光を含む点灯、消灯の操作制御を行う灯火制御システムにおいて、
環境条件の判断による調光制御入力や特定の灯火設備機器の指定による点灯，消灯入力に基づき、少なくとも１個の灯火設備機器への操作制御指示を生成する少なくとも１台の灯火操作制御装置と、この灯火操作制御装置に汎用伝送路を介して接続される複数の設備制御装置とを有し、
前記灯火操作制御装置は、複数のキー位置データにそれぞれ異なる暗号化キーを対応付けた暗号化キーテーブルと、この暗号化キーテーブルから前記設備制御装置から送られてくるキー位置データを受領するキー位置データ受領部と、この受領部で受領されたキー位置データに基づき、暗号化キーテーブルから当該キー位置データに対応する暗号化キーを取り出し、前記生成された当該操作制御指示を暗号化して送信する手段とを設け、
前記各設備制御装置は、複数のキー位置データにそれぞれ異なる復号化キーを対応付けた復号化キーテーブルと、所定の時間間隔ごとに当該復号化キーテーブルから順次異なるキー位置データを取り出して前記灯火操作制御装置に送信する手段と、前記暗号化された操作制御指示を受信し、前記復号化キーテーブルから前記キー位置データに対応する復号化キーを用いて、当該受信した暗号化された操作制御指示を復号化し、自身が管理する少なくとも１個の灯火設備機器を操作制御する手段とを設けたことを特徴とする灯火制御システム。
【請求項３】
少なくとも１台の灯火操作制御装置と空港内に設置される灯火設備機器に対して調光を含む点灯、消灯の操作制御を行う複数の設備制御装置とが汎用伝送路を介して接続した灯火制御システムにおいて、
環境条件の判断による調光制御入力や特定の灯火設備機器の指定による点灯，消灯入力に基づき、前記灯火操作制御装置が少なくとも１個の灯火設備機器への操作制御指示を生成する第１のステップと、
前記各設備制御装置が複数のキー位置データにそれぞれ異なる復号化キーを対応付けた復号化キーテーブルを有し、所定の時間間隔ごとに当該復号化キーテーブルから順次異なるキー位置データを取り出して前記灯火操作制御装置に送信する第２のステップと、
前記灯火操作制御装置が複数のキー位置データにそれぞれ異なる暗号化キーを対応付けた暗号化キーテーブルを有し、当該暗号化キーテーブルから第２のステップで送信されてくるキー位置データに対応する暗号化キーを取り出し、前記生成された操作制御指示を暗号化して送信する第３のステップと、
前記各設備制御装置が前記暗号化された操作制御指示を受信し、前記復号化キーテーブルから前記キー位置データに対応する復号化キーを用いて、当該受信した暗号化された操作制御指示を復号化し、自身が管理する少なくとも１個の灯火設備機器を操作制御する第４のステップとを有することを特徴とする灯火制御方法。
【発明の詳細な説明】
【技術分野】
【０００１】
本発明は、空港に設置される多数の灯火設備機器に対して、調光を含む点灯，消灯の操作制御を行う灯火制御システム及び灯火制御方法に関する。
【背景技術】
【０００２】
空港内には航空機の航行の安全を確保するために誘導路や滑走路に多数の灯火設備機器を設置すると共に、これら灯火設備機器の調光を含む点灯，消灯の操作制御を行うために灯火制御システムが設けられている。
【０００３】
灯火制御システムは、低視程時（降雨，濃霧等の視界不良時）の飛行場の運用には必要不可欠なシステムの一つであって、誘導路中心線灯の点灯、消灯制御には信頼性および確実性が要求される。それ故、灯火制御システムによる指示ミスないし誤作動が発生する事態ともなれば、航空機のニアミス事故もしくは衝突事故の発生原因にもなりかねないことから、飛行場の運用に携わる管制官の業務は厳密な判断のもとに適切な点灯・消灯等の指示を出す必要があり、精神的な面からも非常に激しい状況にある。
【０００４】
各空港の灯火制御としては、主に航空機着陸時の滑走路側の灯火制御と、エプロン（ターミナル）から滑走路に向けて走行し離陸する際および滑走路着陸後にエプロンに向けて走行する際の誘導路側の灯火制御とに分けられ、その灯火器の数も空港の規模によって異なるが、数百から数万にものぼる場合があり、管制官による監視・判断・決定・操作等の作業にもおのずと限界がある。
【０００５】
灯火制御システムにおける操作制御においては、１：航空機の着陸時の運用方向、２：昼間・夕暮れ・夜間などの背景輝度、３：雲の高さが例えば１０００ｍ以上の雲底高、４：雲の高さが例えば１０００ｍ以下の雲底高よりなる４つの環境条件を判断しながら、各条件ごとに１つを選択操作し、現在環境にあった最適な明るさとなる操作制御指示を出し、灯火設備機器の灯火状態を制御する。
【０００６】
例えば背景輝度が昼間、視程の悪い状態、雲底高が低い状態では誘導路中心線灯の灯火を明るくする制御を行い、逆に背景輝度が夜間、視程が良い状態や雲底高が高い状態では灯火を暗くする制御を行う。パイロットはその灯火の状態を見ながら、航空機を航行または走行させている。
【０００７】
ところで、従来の灯火制御システムは、図５に示すように操作制御指示を生成し出力するＨＭＩ（ヒューマンマシンインタフェース）機能を備えた灯火操作制御装置５１から導出されるイーサネット（登録商標）５２上に少なくとも１個の灯火設備機器５３を操作制御する複数のコントローラ（ＰＬＣ：プログラマブル・ロジック・コントローラ）５４1，５４2，…が接続され、各コントローラ５４1，５４2，…は灯火操作制御装置５１から伝送されてくる識別データを伴う操作制御指示に従い、自身が管理する灯火設備機器５３を調光を含む点灯，消灯の操作制御を行う。なお、各コントローラ５４1，５４2，…の下位にさらにコントローラを接続し、分散制御を実行するシステムもある。
【０００８】
以上のような灯火制御システムにおける灯火設備機器５３に対する調光制御を含む点灯，消灯の操作制御指示には、大きく分けて次の３通りの操作制御指示方法が考えられている。
【０００９】
（１）  ハードシーケンスによる操作制御指示の出力：各コントローラ５４1，５４2，…に付設される操作ボタンを操作し、当該操作ボタンの操作に基づく操作制御指示を出力して灯火設備機器５３を制御する方法である。
【００１０】
（２）  各空港管理会社が独自の専用伝送路を設けることによる操作制御指示の出力：例えば監視操作卓５５とコントローラ例えば５４1とを専用伝送路５６で接続し、監視操作卓５５から専用伝送路５６を経由して操作制御指示を出力し、コントローラ５４1に送出する方法、或いはコントローラが２階層化されている場合に上位層のコントローラから下位層のコントローラに操作制御指示を送出する方法等である。
【００１１】
（３）  汎用伝送路を使用して操作制御指示の出力：図５に示すように、灯火操作制御装置５１から汎用伝送路であるイーサネット５２を経由して操作制御指示を出力し、各コントローラ５４1，５４2，…に送出する方法である。
【００１２】
また、従来の他の灯火制御システムとしては、次のような構成のものがある。  
この灯火制御システムは、商用電源が供給されるループ状の電力線上に複数の送信器及びそれぞれランプ負荷を備えた複数の受信器が接続され、送信器は、アドレス信号のもとに受信器にアクセスするが、このときアクセス信号ととともに１回アクセス毎に所定量ずつ段階的に調光量が変化する調光信号を該当受信器に送信する。該当受信器は、送信器から送られてくる調光信号の調光量を記憶し、一段階ずつランプ負荷の調光量を変化させていく電力線搬送調光制御方式である（特許文献１）。
【特許文献１】特開昭５８−０１２２９１号公報（図１）
【発明の開示】
【発明が解決しようとする課題】
【００１３】
ところで、前者の灯火制御システムにおける操作制御指示の出力に関し、前記（１）の指示方法は、各コントローラ５４1，５４2，…から直接操作制御指示を出力するものであり、設置場所等の観点からセキュリティを確保できる。また、前記（２）の指示方法は、専用伝送路を使用して独自の伝送仕様に基づいて操作制御指示を伝送するので、同様にセキュリティを確することが可能である。すなわち、前記（１）、（２）の指示方法は、セキュリティが十分に確保され、本来操作権の無い端末機器（特に悪意をもった端末機器）による操作制御指示の出力を排除できることから、航空機の安全な離着陸管理を実現できる。
【００１４】
しかし、前記（３）の指示方法のように汎用伝送路であるイーサネットを使用する場合、公開された規格に基づいて操作制御指示を出力することから、イーサネットに本来操作権の無い端末機器を接続し、灯火操作制御装置５１から出力される操作制御指示を盗聴するなどの行為が行われる可能性がある。よって、特段の仕組みを用意しない限り、セキュリティを確保することができない。すなわち、前記（３）の指示方法は、本来操作権の無い端末機器が操作制御指示を盗聴できることから、当該端末機器から操作制御指示の出力を完全に排除できない状態にあり、航空機の安全な離着陸管理を実現し難い問題がある。
【００１５】
また、後者の灯火制御システムは、電力線を用いた電力線搬送であるので、セキュリティを確保できる反面、汎用性及び融通性に欠け、ノイズが混入しやすく、設備コストが高くなる等の問題がある。
【００１６】
本発明は上記事情に鑑みてなされたもので、汎用伝送路を使用してセキュリティを確保し、航空機の安全な離着陸管理を行う灯火制御システム及び灯火制御方法を提供することを目的とする。
【課題を解決するための手段】
【００１７】
（１）  上記課題を解決するために、空港内に設置される多数の灯火設備機器に対して、調光を含む点灯、消灯の操作制御を行う本発明に係る灯火制御システムは、環境条件の判断による調光制御入力や特定の灯火設備機器の指定による点灯，消灯入力に基づき、少なくとも１個の灯火設備機器への操作制御指示を生成するとともに、予め決められた暗号化キーを用いて、当該操作制御指示を暗号化して送信する少なくとも１台の灯火操作制御装置と、この灯火操作制御装置に汎用伝送路を介して接続され、前記暗号化された操作制御指示を受信し、予め決められた復号化キーを用いて、当該受信した暗号化された操作制御指示を復号化し、自身が管理する少なくとも１個の灯火設備機器を操作制御する複数の設備制御装置とを備えた構成である。
【００１８】
（２）  また、本発明に係る灯火制御システムは、環境条件の判断による調光制御入力や特定の灯火設備機器の指定による点灯，消灯入力に基づき、少なくとも１個の灯火設備機器への操作制御指示を生成する少なくとも１台の灯火操作制御装置と、この灯火操作制御装置に汎用伝送路を介して接続される複数の設備制御装置とを有し、
前記灯火操作制御装置は、複数のキー位置データにそれぞれ異なる暗号化キーを対応付けた暗号化キーテーブルと、この暗号化キーテーブルから前記設備制御装置から送られてくるキー位置データを受領するキー位置データ受領部と、この受領部で受領したキー位置データに基づき、暗号化キーテーブルから当該キー位置データに対応する暗号化キーを取り出し、前記生成された当該操作制御指示を暗号化して送信する手段とを設け、
前記設備制御装置は、複数のキー位置データにそれぞれ異なる復号化キーを対応付けた復号化キーテーブルと、所定の時間間隔ごとに当該復号化キーテーブルから順次異なるキー位置データを取り出して前記灯火操作制御装置に送信する手段と、前記暗号化された操作制御指示を受信し、前記復号化キーテーブルから前記キー位置データに対応する復号化キーを用いて、当該受信した暗号化された操作制御指示を復号化し、自身が管理する少なくとも１個の灯火設備機器を操作制御する手段とを設けた構成である。
【００１９】
（３）  さらに、本発明は、少なくとも１台の灯火操作制御装置と空港内に設置される灯火設備機器を調光を含む点灯、消灯の操作制御を行う複数の設備制御装置とが汎用伝送路を介して接続された灯火制御システムにおいて、環境条件の判断による調光制御入力や特定の灯火設備機器の指定による点灯，消灯入力に基づき、前記灯火操作制御装置が少なくとも１個の灯火設備機器への操作制御指示を生成する第１のステップと、前記各設備制御装置が複数のキー位置データにそれぞれ異なる復号化キーを対応付けた復号化キーテーブルを有し、所定の時間間隔ごとに当該復号化キーテーブルから順次異なるキー位置データを取り出して前記灯火操作制御装置に送信する第２のステップと、当該灯火操作制御装置が複数のキー位置データにそれぞれ異なる暗号化キーを対応付けた暗号化キーテーブルを有し、当該暗号化キーテーブルから第２のステップで送信されてくるキー位置データに対応する暗号化キーを取り出し、前記生成された当該操作制御指示を暗号化して送信する第３のステップと、前記各設備制御装置が前記暗号化された操作制御指示を受信し、前記復号化キーテーブルから前記キー位置データに対応する復号化キーを用いて、当該受信した暗号化された操作制御指示を復号化し、自身が管理する少なくとも１個の灯火設備機器を操作制御する第４のステップとを有する灯火制御方法である。
【発明の効果】
【００２０】
本発明によれば、汎用伝送路を使用した状態でも確実にセキュリティを確保でき、航空機の安全な離着陸管理を行い得る灯火制御システム及び灯火制御方法を提供できる。
【発明を実施するための最良の形態】
【００２１】
以下、本発明の実施の形態について図面を参照して説明する。  
（第１の実施の形態）
図１は本発明に係る灯火制御システムにおける第１の実施の形態を示す構成図である。  
灯火制御システムは、少なくとも１台の灯火操作制御装置１と、ＰＬＣ（プログラマブル・ロジック・コントローラ）に相当する複数の設備制御装置２とがイーサネット等の汎用伝送路３を介して接続される。汎用伝送路３には中継装置４が設置される。また、各設備制御装置２には少なくとも１個の灯火設備機器５が設けられている。
【００２２】
灯火操作制御装置１は、操作制御指示を生成し出力するＨＭＩ（ヒューマンマシンインタフェース）機能を備え、具体的には、操作制御指示部１１、暗号化処理部１２及び送受信機能を持つ通信制御部１３によって構成される。
【００２３】
操作制御指示部１１は、予め決められたシーケンスプログラムに基づく自動制御またはオペレータによる任意の操作制御入力のもとに各灯火設備機器５への操作制御指示を生成し出力する。ここで、シーケンスプログラムデータに基づく自動制御とは、例えば外部環境の状態を検知する環境センサの出力信号を取り込んで前述した４つの環境条件を論理的に判断し、この判断結果に応じて所定の明るさとする調光データを決定し、また誘導路や滑走路を走行する航空機の有無を航空機検知センサにて検知し、該当する灯火設備機器５の調光，点灯，消灯等の操作制御に関するデータを生成し、該当する灯火設備機器５に関する識別データを伴う操作制御指示データを出力する。
【００２４】
また、オペレータによる任意制御とは、例えば外部環境の状況や航空機の発着状況を目視或いはモニターから判断し、その判断結果に応じて調光データを決定し、或いは特定の灯火設備機器５の点灯，消灯の指定入力に基づき、少なくとも１個の灯火設備機器５の識別データを伴う調光，点灯，消灯等の操作制御指示の生成する。
【００２５】
なお、識別データとしては、設備制御装置２と灯火設備機器５とを組み合わせた識別データであってもよく、また調光による操作制御指示の場合には全灯火設備機器５，…に応じた識別データが用いられる。
【００２６】
暗号化処理部１２は、操作制御指示部１１から出力される識別データを伴う操作制御指示データのうち当該操作制御指示データを、予め決められた暗号化キーを用いて暗号化処理し、通信制御部１３に渡す。
【００２７】
通信制御部１３は、汎用伝送路３の公開規格に基づく通信プロトコルに従って暗号化された操作制御指示データを汎用伝送路３に伝送する機能を有する。
【００２８】
各設備制御装置２は、識別データを伴う暗号化された操作制御指示データを受信する送受信機能を持つ通信制御部２１、復号化処理部２２及び操作出力部２３により構成される。
【００２９】
復号化処理部２２は、通信制御部２１で受信された暗号化された操作制御指示データを、予め決められた復号化キーを用いて復号化して操作制御指示データを復元し、操作出力部２３に渡す。操作出力部２３は、操作制御指示データに基づき、該当する灯火設備機器５に対して、調光を含む灯火，消灯の操作制御を実行する機能を有する。
【００３０】
中継装置４は、リピーター，ハブに相当する機能を有するもので、予め識別データと設備制御装置２を含み、または設備制御装置２を含まない灯火設備機器５との関係を定めた宛先テーブルが設けられ、暗号化された操作制御指示データに付加される識別データに基づいて宛先テーブルを参照し、制御対象となる灯火設備機器５を管理する設備制御装置２を特定し、当該特定された設備制御装置２に対して識別データを伴う暗号化された操作制御指示データを通知する機能を有する。
【００３１】
次に、以上のように構成された灯火制御システムの動作について説明する。  
環境条件の判断による調光制御入力や特定の灯火設備機器の指定による点灯，消灯入力を受けると、灯火操作制御装置１の操作制御指示部１１は、環境状況に関する４つの環境条件の適宜な組み合わせと明るさを表す調光データとの関係を規定するテーブルから最適な明るさとなる調光データを選択し、また航空機の走行位置を含む航空機有無検知データに基づいて特定の灯火設備機器５の点灯，消灯を決定し、全部または特定の灯火設備機器５に関する識別データを伴う調光データ，点灯制御，消灯制御の何れか１種の操作制御指示を生成し、暗号化処理部１２に送出する。暗号化処理部１２は、操作制御指示部１１から識別データを伴う操作制御指示データを受け取ると、予め決められた暗号化キーを用いて暗号化し、通信制御部１３に渡す。
【００３２】
ここで、通信制御部１３は、汎用伝送路３及び設備制御装置２との取決めに基づく通信プロトコルに従って識別データを伴う暗号化された操作制御指示データを汎用伝送路３に伝送する。
【００３３】
中継装置４は、汎用伝送路３から識別データを伴う暗号化された操作制御指示データを受け取ると、識別データと例えば灯火設備機器５との関係を定めた宛先テーブルを参照し、全部または複数の設備制御装置２の中から特定された灯火設備機器５を管理する設備制御装置２を決定し、当該設備制御装置２に向けて識別データを伴う暗号化された操作制御指示データを通知する。
【００３４】
該当設備制御装置２の通信制御部２１は、中継装置４を経由してくる識別データを伴う暗号化された操作制御指示データを受信すると、復号化処理部２２に渡す。
【００３５】
ここで、復号化処理部２２は、識別データを伴う暗号化された操作制御指示データを受け取ると、予め決められた復号化キーを用いて復号化して操作制御指示データを復元し、この復元化された操作制御指示データを操作出力部２３に渡す。操作出力部２３は、操作制御指示データに基づき、該当する灯火設備機器５を調光を含む灯火，消灯の操作制御を実行する。
【００３６】
従って、以上のような実施の形態によれば、灯火操作制御装置１及び複数の設備制御装置２，…に予め決められた暗号化キー、復号化キーを設定し、灯火操作制御装置１が暗号化キーを用いて、操作制御指示を暗号化し該当する設備制御装置２に送信し、当該設備制御装置２では、復号化キーを用いて、暗号化された操作制御指示を復号化し、操作制御指示を復元し、該当する灯火設備機器５を操作制御するので、汎用伝送路３に操作権限を有しない端末機器が接続されても、操作制御指示を盗聴されることがない。
【００３７】
その結果、悪意を持った者が端末機器から故意に操作制御指示を出力し、灯火設備機器５を不正に操作制御することを回避できる。
【００３８】
よって、汎用伝送路３を使用して操作制御指示を伝送しても、確実にセキュリティを確保でき、航空機の安全な離着陸管理を実現することができる。
【００３９】
また、汎用伝送路３及び汎用の通信機器１，２を用いて、容易に灯火制御システムを構築でき、柔軟性に富んだ操作制御、設備コストの低減化を図ることができる。
【００４０】
（第２の実施の形態）
図２は本発明に係る灯火制御システムにおける第２の実施の形態を示す構成図である。  
灯火制御システムは、図１に示す灯火制御システムと同様に、少なくとも１台の灯火操作制御装置１と、複数の設備制御装置２とがイーサネット等の汎用伝送路３を介して接続され、さらに汎用伝送路３に中継装置４が設置される。各設備制御装置２，…には少なくとも１個の灯火設備機器５が設けられている。
【００４１】
灯火操作制御装置１は、操作制御指示を生成し出力するＨＭＩ（ヒューマンマシンインタフェース）機能を備え、具体的には、操作制御指示部１１、暗号化処理部１２、送受信機能を持つ通信制御部１３の他、暗号化キーテーブル１４、キー位置データ受領部１５により構成される。
【００４２】
前記操作制御指示部１１、暗号化処理部１２及び通信制御部１３は、図1と等価な作用ないし機能を有するので、ここでは図１の説明に譲る。
【００４３】
暗号化キーテーブル１４は、図３に示すように複数のキー位置データ１，２，…と各キー位置データ１，２，…ごとに異なる暗号化キー１，２，…とが対応付けられている。つまり、暗号化キーテーブル１４には複数の暗号化キーが格納されている。
【００４４】
キー位置データ受領部１５は、各設備制御装置２，…から暗号化キーを決定するためのキー位置データを受け取ると、暗号化処理部１２にキー位置データを通知する。
【００４５】
各設備制御装置２は、識別データを伴う暗号化された操作制御指示データを受信する送受信機能を持つ通信制御部２１、復号化処理部２２及び操作出力部２３の他、復号化キーテーブル２４、キー決定部２５、キー位置通知部２６によって構成される。
【００４６】
前記通信制御部２１、復号化処理部２２及び操作出力部２３は、図1と等価な作用ないし機能を有することから、図１の説明に譲る。
【００４７】
復号化キーテーブル２４は、図４に示すように暗号化キーテーブル１４と同数のキー位置データ１，２，…と各キー位置データ１，２，…ごとに異なる復号化キー１，２，…とが対応付けられている。各キー位置データ１，２，…に対する暗号化キーと復号化キーとには例えば共通キーなどが使用される。
【００４８】
キー決定部２５は、各設備制御装置２に収納される電子時計の時刻から所定の時間間隔ごとに復号化キーテーブル２４から順次１つのキー位置データを取り出し、キー位置通知部２６に渡す機能を有する。すなわち、キー決定部２５は、操作制御指示を何れの暗号化キーを用いて暗号化するかを決定する。
【００４９】
キー位置通知部２６は、キー決定部２５からキー位置データを受け取ると、中継装置４を介して灯火操作制御装置１のキー位置データ受領部１５に送信する。キー位置データ受領部１５は、各設備制御装置２からキー位置データを受けると、暗号化処理部１２に通知する。
【００５０】
次に、以上のように構成された灯火制御システムの動作及び本発明に係る灯火制御方法の一実施の形態について説明する。  
先ず、各設備制御装置２のキー決定部２５は、所定の時間間隔ごとに復号化キーテーブル２４から順次異なるキー位置データ例えば「２」を取り出し、キー位置通知部２６に送出する。キー位置通知部２６は、キー決定部２５から受け取ったキー位置データ「２」を前述したように中継装置４を介して灯火操作制御装置１のキー位置データ受領部１５に送る。
【００５１】
このとき、灯火操作制御装置１側では、シーケンスプログラムに基づく４つの環境条件の充足等の判断に基づく自動制御またはオペレータによる環境状況を含むモニタ監視結果に基づく任意の操作制御入力を受けると、灯火操作制御装置１の操作制御指示部１１は、環境状況に関する環境条件の適宜な組み合わせと明るさを表す調光データとの関係を規定するテーブルから最適な明るさとなる調光データを選択し、また航空機の走行位置を含む航空機有無検知データに基づいて特定の灯火設備機器５の点灯，消灯を決定し、全部または特定の灯火設備機器５に関する識別データを伴う調光データ，点灯制御，消灯制御の何れか１種の操作制御指示を生成し、暗号化処理部１２に送出する。
【００５２】
暗号化処理部１２は、操作制御指示部１１から識別データを伴う操作制御指示データを受け取ると、現時点でキー位置データ受領部１５から通知を受けているキー位置データ「２」に基づき、暗号化キーテーブル１４からキー位置「２」に対応する暗号化キー２を読み出し、操作制御指示データを暗号化し、識別データを伴う暗号化された操作制御指示データを生成し、通信制御部１３に渡す。通信制御部１３は、汎用伝送路３及び設備制御装置２との取決めに基づく通信プロトコルに従って識別データを伴う暗号化された操作制御指示データを汎用伝送路３を介して中継装置４に送信する。
【００５３】
中継装置４は、識別データを伴う暗号化された操作制御指示データを受け取ると、識別データと例えば灯火設備機器５との関係を定めた宛先テーブルを参照し、複数の設備制御装置２の中から前記特定された灯火設備機器５を管理する設備制御装置２を決定し、当該設備制御装置２に向けて識別データを伴う暗号化された操作制御指示データを送信する。
【００５４】
該当設備制御装置２の通信制御部２１は、中継装置４を経由してくる識別データを伴う暗号化された操作制御指示データを受信すると、復号化処理部２２に渡す。
【００５５】
ここで、復号化処理部２２は、識別データを伴う暗号化された操作制御指示データを受け取ると、キー決定部２５で決定して既に灯火操作制御装置１に通知したキー位置データ「２」に基づき、復号化キーテーブル２４からキー位置データ「２」に対応する復号化キー２を取り出し、暗号化された操作制御指示データを復号化し、この復元化された操作制御指示データを操作出力部２３に渡す。操作出力部２３は、操作制御指示データに基づき、該当する灯火設備機器５を調光，灯火，消灯等の操作制御を実行する。
【００５６】
従って、以上のような実施の形態によれば、灯火操作制御装置１から各設備制御装置２，…に操作制御指示を伝送し、自身の管理する灯火設備機器５を操作制御するに際し、各設備制御装置２，…が所要の時間ごとに異なる暗号化キー及び復号化キーを決定し、灯火操作制御装置１に通知するので、灯火操作制御装置１はその通知を受けた暗号化キーを用いて、操作制御指示を暗号化し、また、各設備制御装置２は、決定された復号化キーを用いて、暗号化された操作制御指示を復号化するので、悪意を持った者は予め盗聴した暗号化キーを用いて操作制御指示を暗号化したとしても、各設備制御装置２，…で復号化することができない。よって、悪意を持った者によって灯火設備機器５を正しくない状態で操作制御されることがなくなる。
【００５７】
よって、汎用伝送路３を使用して操作制御指示を伝送しても、確実にセキュリティを確保でき、航空機の安全な離着陸管理を実現することができる。
【００５８】
また、汎用伝送路３及び汎用の通信機器１，２を用いて、容易に灯火制御システムを構築でき、柔軟性に富んだ操作制御、設備コストの低減化を図ることができる。
【００５９】
その他、本発明は、上記実施の形態に限定されるものでなく、その要旨を逸脱しない範囲で種々変形して実施できる。
【図面の簡単な説明】
【００６０】
【図１】本発明に係る灯火制御システムの第１の実施の形態を示す構成図。
【図２】本発明に係る灯火制御システム及び灯火制御方法を説明する構成図。
【図３】図２に示す灯火操作制御装置に設けた暗号化キーテーブル図。
【図４】図２に示す設備制御装置に設けた復号化キーテーブル図。
【図５】従来の灯火制御システムを示す構成図。
【符号の説明】
【００６１】
１…灯火操作制御装置、２…設備制御装置、３…汎用伝送路、４…中継装置、５…灯火設備機器、１１…操作制御指示部、１２…暗号化処理部、１３…通信制御部、１４…暗号化キーテーブル、１５…キー位置データ受領部、２１…通信制御部、２２…復号化処理部、２３…操作出力部、２４…復号化キーテーブル、２５…キー決定部、２６…キー位置通知部。
【図１】
2008059850.tif 000003
【図２】
2008059850.tif 000004
【図３】
2008059850.tif 000005
【図４】
2008059850.tif 000006
【図５】
2008059850.tif 000007